(57)【特許請求の範囲】
【請求項１】
後端部が開口している塵芥収容箱と、
この塵芥収容箱の後方側に連接して設けられているとともに当該塵芥収容箱側に開口している開口部が形成されている塵芥投入箱と、
前記塵芥投入箱に投入された塵芥を前記開口部を通じて前記塵芥収容箱に積み込む動作を行う積込装置と、を備え、
前記塵芥投入箱は、前記塵芥収容箱の上部に設けられた回動中心回りに上下回動することで、前記塵芥収容箱に対して開閉動作する塵芥収集車において、
前記塵芥収容箱と前記塵芥投入箱との間に、シール部材が、前記開口部を囲む全周にわたって介在しており、
前記塵芥投入箱が前記塵芥収容箱に対して閉じた状態で、前記シール部材の上側部分は、前記塵芥収容箱の内側に配置されていることを特徴とする塵芥収集車。
【請求項２】
前記シール部材の上側部分は、前記塵芥投入箱の上部に設けられて前記塵芥収容箱に収容された塵芥が前記塵芥投入箱側へ移動するのを防止する遮蔽板に取り付けられている請求項１に記載の塵芥収集車。
【請求項３】
前記シール部材は前記塵芥投入箱側に取り付けられ、
前記塵芥収容箱の後端部の内周面の少なくとも一部が、前記シール部材と接触するシール面とされている請求項１又は２に記載の塵芥収集車。
【発明の詳細な説明】
【技術分野】
【０００１】
本発明は、塵芥を積み込むことができる塵芥収集車に関する。
【背景技術】
【０００２】
従来知られている塵芥収集車として、後端部が開口している塵芥収容箱と、この塵芥収容箱の後方側に連接して設けられている塵芥投入箱と、この塵芥投入箱に投入された塵芥を前記塵芥収容箱に積み込む動作を行う積込装置とを備えているものがある。塵芥投入箱には、塵芥収容箱側に開口している開口部が形成されており、前記積込装置は、塵芥投入箱に投入された塵芥をその開口部を通じて塵芥収容箱に積み込む動作を行う。
また、塵芥投入箱はその上部を中心として上方へ回動可能であり、これによって塵芥収容箱に対しての開閉動作が可能となる。そして、塵芥投入箱が上方へ回動した開放状態で、塵芥収容箱に収容された塵芥は当該塵芥収容箱内に設けられている排出板によって車両後方へ押され、外部へ排出される。
塵芥投入箱が下方にある閉鎖状態において、塵芥収容箱や塵芥投入箱にある塵芥から生じた汚水が、塵芥収容箱と塵芥投入箱との間から外部に漏れるのを防止するために、両者の合わせ面（対向面）の間にシール部材が設けられている。例えば、特許文献１に記載されている塵芥収集車は、塵芥収容箱に対する塵芥投入箱の合わせ面とされている前面において、水平方向に延伸している下部シールと、この下部シールの両端部から上向きに延伸している側部シールとを有している。側部シールは合わせ面の高さ方向全長ではなく下部側の一部分にのみ設けられている。
【０００３】
【特許文献１】実公平１−１１６０７号公報（第４図）
【発明の開示】
【発明が解決しようとする課題】
【０００４】
特許文献１に記載されている塵芥収集車は、塵芥投入箱における塵芥収容箱との合わせ面において、下部及び側部の一部分についてのみシール部材が設けられており、合わせ面の上部についてはシール部材が存在していない。したがって、下部のシール部材の上に汚水が溜まると、毛細管現象によって汚水が側部シールをつたって上昇し、側部シールの上端部を越えて外部へ漏れてしまうおそれがある。
そこで、本発明はこのような従来の問題点に鑑み、塵芥収容箱と塵芥投入箱との間から汚水が漏れるのを防止することができる塵芥収集車を提供することを目的とする。
【課題を解決するための手段】
【０００５】
本発明の塵芥収集車は、後端部が開口している塵芥収容箱と、この塵芥収容箱の後方側に連接して設けられているとともに当該塵芥収容箱側に開口している開口部が形成されている塵芥投入箱と、前記塵芥投入箱に投入された塵芥を前記開口部を通じて前記塵芥収容箱に積み込む動作を行う積込装置とを備え、前記塵芥投入箱は、前記塵芥収容箱の上部に設けられた回動中心回りに上下回動することで、前記塵芥収容箱に対して開閉動作する塵芥収集車において、前記塵芥収容箱と前記塵芥投入箱との間に、シール部材が、前記開口部を囲む全周にわたって介在しており、前記塵芥投入箱が前記塵芥収容箱に対して閉じた状態で、前記シール部材の上側部分は、前記塵芥収容箱の内側に配置されている。
この構成によれば、塵芥収容箱と塵芥投入箱との間において、塵芥投入箱の開口部を囲む全周にわたってシール部材が介在しているため、このシール部材により、開口部を囲む全周にわたって、内部に投入・収容された塵芥から生じた汚水が漏れるのを防ぐことができ、これにより、塵芥収容箱と塵芥投入箱との間から外部へ汚水が漏れるのを防止することができる。すなわち、シール部材は下部から両側部さらに上部までの全周にわたって設けられているため、下部のシールの上に溜まった汚水が毛細管現象によって側部のシール部材をつたって上昇したとしても、汚水が外部へ漏れるのを防止できる。
【０００６】
また、上記塵芥収集車において、前記シール部材の上側部分は、前記塵芥投入箱の上部に設けられて前記塵芥収容箱に収容された塵芥が前記塵芥投入箱側へ移動するのを防止する遮蔽板に取り付けられているのが好ましい。
この構成によれば、シール部材を取り付けるための部材として遮蔽板を用いているので、シール部材を取り付けるための部材を別途設ける必要がない。このため、部品点数の低減及び構造の簡素化が図れる。
【０００７】
また、前記塵芥収集車は、シール部材が前記塵芥投入箱側に取り付けられ、前記塵芥収容箱の後端部の内周面の少なくとも一部が、前記シール部材と接触するシール面とされているのが好ましい。
この構成によれば、塵芥収容箱の後端部の内周面のうち、シール部材が接触するシール面とされた部分については、別途シール部材と接触させるための部材が不要となる。これにより部品点数の低減及び構造の簡素化が図れる。
【発明の効果】
【０００８】
本発明の塵芥収集車によれば、下部のシール部材の上に溜まった汚水が毛細管現象によって側部のシール部材をつたって上昇したとしても、シール部材が全周にわたって設けられているため、汚水が外部へ漏れるのを防止できる。
【発明を実施するための最良の形態】
【０００９】
図１は、本発明の塵芥収集車の一実施の形態を示す側面図である。この塵芥収集車は、塵芥の積込動作に圧縮行程を有しているプレス式であり、塵芥の排出が押し出し式の構成とされている。
図１において、この塵芥収集車１は、後端部が開口している塵芥収容箱２と、その後方側に連接して設けられている塵芥投入箱３とを備えている。塵芥投入箱３の後部には塵芥が投入される投入口３ａが設けられており、この投入口３ａに対応して上下にスライドして開閉される蓋３ｂが設けられている。また、塵芥投入箱３の前方下部には、塵芥を塵芥収容箱２に積み込むために当該塵芥収容箱２側に開口している開口部３ｄが形成されている。  塵芥投入箱３は、上部に設けられた支点Ｐを中心に回動可能であり、これによって塵芥収容箱２に対しての開閉動作が可能となる。塵芥投入箱３は、図の実線で示す位置で塵芥収容箱２を閉鎖し、図の二点鎖線で示す上方へ回動した位置で塵芥収容箱２の後端部を開放し、塵芥を後方へ排出することができる状態となる。
【００１０】
塵芥投入箱３内には積込装置５０が設けられている。積込装置５０は、スライダ５と、このスライダ５の下端部にピン７を介して回動自在に取り付けられている押込板８とを有している。スライダ５は、塵芥投入箱３の左右の側壁３ｃに設けられたガイドレール４に沿って移動することができる。塵芥投入箱３内の左右両側において、スライダ５の側面部材５ａと塵芥投入箱３の側壁３ｃとの間にはプッシュシリンダ９が取り付けられている。また、押込板８の側面部材８ａとスライダ５の側面部材５ａとの間にはプレスシリンダ１２が取り付けられている。
従って、図１の状態から、プレスシリンダ１２の収縮動作により押込板８を反時計回り方向に回動させ、押込板８を反転させる。次に、プッシュシリンダ９の収縮動作によりスライダ５と押込板８とを共に斜め後方に降下させ、投入口３ａから投入された塵芥を圧縮する（一次圧縮）。プレスシリンダ１２の伸長動作により押込板８を時計回り方向に回動させ二次圧縮を行う。そして、プッシュシリンダ９の伸長動作によりスライダ５と押込板８とを斜め前方に上昇させ、圧縮した塵芥を塵芥収容箱２側へ押し込む（図１の二点鎖線で示した状態から実線で示した状態へ移動させる工程）。このように、積込装置５０は順に反転工程、一次圧縮工程、二次圧縮工程及び押込工程を１サイクルとして行い、塵芥投入箱３に投入された塵芥を前記開口部３ｄを通じて塵芥収容箱２に積み込む動作を行うことができる。
【００１１】
塵芥収容箱２の内部には、車両前後方向に移動可能とされている排出板３８が設けられている。テレスコ式のディスチャージシリンダ４０の一端部４０ａが排出板３８に接続され、他端部４０ｂが塵芥収容箱２の車両前方向の端部に接続されている。排出板３８は、このディスチャージシリンダ４０の伸縮により、図の実線で示す位置から二点鎖線で示す位置までの範囲で移動可能とされている。塵芥が空のとき排出板３８は実線で示す位置にあり、排出板３８よりも車両後方向に塵芥を積み込むための空間Ｓが確保されている。そして、排出板３８は積込装置５０によって積み込まれる塵芥を押込板８との間で圧縮させることができる。この排出板３８を有している排出装置５１は、当該排出板３８を車両前方向に間欠移動させることで前記空間Ｓを拡大させて塵芥収容箱２における塵芥の収容量を漸増させ、かつ、排出板３８を車両後方向に移動させることで塵芥収容箱２に収容された塵芥を後方へ排出することができる。
【００１２】
図２と図３と図４はそれぞれ塵芥投入箱３の斜視図と前方から見た正面図と側面図である。図２では塵芥投入箱３の後部側の部材を省略している。塵芥投入箱３の前面は、上部に遮蔽板１６と、その下方である中間部に前壁部材２０とを有しており、この前壁部材２０の下方に開口部３ｄが形成されている。遮蔽板１６及び前壁部材２０は、塵芥収容箱２に収容された塵芥が塵芥投入箱３側へ移動するのを防いでいる。特に、遮蔽板１６は塵芥収容箱２に積み込まれた塵芥が塵芥投入箱３の上部へ溢れ出るのを防いでいる。
そして、この塵芥投入箱３と塵芥収容箱２（図１参照）との間にはシール部材１５が設けられている。図２〜図４に示している実施の形態では、塵芥投入箱３の車両前後方向の前部にシール部材１５が設けられている。そして、塵芥収容箱２の後端部にこのシール部材１５が接触するシール面（図示せず）が形成されている。
【００１３】
シール部材１５は、塵芥投入箱３の前面側に形成されている前記開口部３ｄを囲む全周にわたって設けられている。具体的に説明すると、塵芥投入箱３が塵芥収容箱２を閉鎖した状態（塵芥投入箱３は図４の姿勢）で、塵芥投入箱３の前面側において、シール部材１５は、開口部３ｄよりも下方位置に取り付けられている下部シール２１と、開口部３ｄよりも車両の左右の両側方位置に取り付けられている側部シール２２，２３と、開口部３ｄよりも上方位置に取り付けられている上部シール２４とを有しており、下部シール２１と側部シール２２，２３と上部シール２４とによってシール部材１５は環状に形成されている。
【００１４】
さらに説明すると、下部シール２１は車両の左右方向に延伸しており、側部シール２２，２３は下部シール２１の左右両端部とそれぞれ連続している。そして塵芥投入箱３が塵芥収容箱２を閉鎖した状態で、側部シール２２，２３は下部シール２１の左右両端部からそれぞれ上向き（前方斜め上向き）に延伸している。側部シール２２，２３は開口部３ｄの上方まで延伸している。上部シール２４は左右方向に延伸している上シール部２４ａと、この上シール部２４ａの左右両端部とそれぞれ連続している横シール部２４ｂ，２４ｃとを有している。横シール部２４ｂ，２４ｃは上シール部２４ａの両端部からそれぞれ下向き（後方斜め下向き）に延伸している。そして、横シール部２４ｂ，２４ｃの下端はそれぞれ側部シール２２，２３の上端と密接した状態とされており、相互の間では密封状態とされている。
つまり、下部シール２１と左右の側部シール２２，２３とで一続きのコ字形のシール部とされており、このシール部と、コ字形とされている上部シール２４とによって、シール部材１５は一つの環状に形成されている。
【００１５】
図５は下部シール２１及びその周辺部を示す断面図である。なお、塵芥収容箱２を二点鎖線で示している。下部シール２１は、断面がほぼ円形とされ塵芥収容箱２側にあるシール面３１と接触する本体部２１ａと、これに連続して塵芥投入箱３側に固定されている取付部２１ｂとを有し、本体部２１ａは内部に複数の空間部が形成されている。
図６は側部シール２２及びその周辺部を示す断面図である。なお、塵芥収容箱２を二点鎖線で示している。側部シール２２は下部シール２１と同じ断面とされており、断面がほぼ円形とされ塵芥収容箱２側にあるシール面３２と接触する本体部２２ａと、これに連続しており塵芥投入箱３側に固定されている取付部２２ｂとを有し、本体部２２ａは内部に複数の空間部が形成されている。なお、この側部シール２２と反対側にある側部シール２３は図６と左右反対となる。
図７は上部シール２４及びその周辺部を示す断面図である。なお、塵芥収容箱２を二点鎖線で示している。上部シール２４は下部シール２１及び側部シール２２，２３と断面が異なっており、円形断面で中空の本体部２４ｄとＵ字型断面の取付部２４ｅとを有している。そして、この本体部２４ｄが塵芥収容箱２側にあるシール面３３と接触する。
【００１６】
シール部材１５の塵芥投入箱３への取り付け構造について説明する。図５と図６において、下部シール２１と側部シール２２は、塵芥投入箱３の前端面１８，１９に固定した取り付け金具２６，２７によって固定されている。そして、下部シール２１と側部シール２２はそれぞれ塵芥投入箱３の前端面１８，１９から車両前方側へ突出するように固定されている。下部シール２１と側部シール２２の塵芥収容箱２側のシール面３１，３２に対する接触部は、それぞれの本体部２１ａ，２２ａのうち車両前方側の部分ａとされている。下部シール２１と側部シール２２が取り付けられている塵芥投入箱３の前端面１８，１９は、塵芥収容箱２の後端面２８，２９に対向している面である。そして、これら後端面２８，２９にそれぞれ下部シール２１と側部シール２２とが接触するシール面３１，３２が形成されている。
【００１７】
図８と図９は上部シール２４とその取付部分の半分を上方から見た図と正面図であり、
図１０はシール部材１５の上側部分を示す側面図である。図１０において、上部シール２４と側部シール２２とをそれぞれハッチで示している。
図７〜図１０において、環状のシール部材１５の上側部分である上シール部２４ａは、塵芥投入箱３に設けられている前記遮蔽板１６に取付部材（ステー）２５を介して取り付けられている。これにより、遮蔽板１６は、塵芥投入箱３の上部を閉鎖して塵芥収容箱２に収容された塵芥が塵芥投入箱３側へ溢れ出るのを防止するとともに、上シール部２４ａを取り付けるための部材としても用いられている。遮蔽板１６が上シール部２４ａを固定するための部材としても兼用されているため、部品点数の低減及び構造の簡素化が図れ、製造コストの低減が可能となる。
【００１８】
上部シール２４の取付部分を具体的に説明すると、遮蔽板１６にはその幅方向に板状の取付部材２５が取り付けられており、取付部材２５は遮蔽板１６から車両前方へ向かって突出するように設けられている。取り付け板２５は、図９に示しているように、上部シール２４の上シール部２４ａに対応する部分と、上部シール２４の横シール部２４ｂ（２４ｃ）に対応する部分とを有している。そして、この取付部材２５の車両前方側である先端部に上シール部２４ａと横シール部２４ｂ（２４ｃ）の取付部２４ｅ（図７参照）が固定されている。
【００１９】
上部シール２４における塵芥収容箱２側のシール面３３に対する接触部は、当該上部シール２４の外周側の部分ｂとされている。したがって、図１０に示しているように、上シール部２４ａは塵芥収容箱２の後端部の内周面１７のうちの上面に接触し、横シール部２４ｂは塵芥収容箱２の後端部の内周面１７のうちの側面に接触する。なお、この横シール部２４ｂのうち側部シール２２，２３側の部分、つまり側部シール２２，２３の上端との密接部の近傍部分は、図示しないが塵芥収容箱２の後端面に接触する。
【００２０】
以上図５〜図１０に示したように、下部シール２１及び側部シール２２はその車両前方側の部分を塵芥収容箱２側のシール面３１，３２に接触する部分ａとし、上部シール２４はその車両外方側の部分をシール面３３に接触する部分ｂとしている。したがって、塵芥収容箱２を後方から見た正面図である図１１に示しているように、塵芥収容箱２の後端部の内周面１７のうちの上部及びこの上部と連続している側部の上側部分（矢印で指示している内周面１７）については、上部シール２４と接触するシール面３３とされている。そして、図１１のクロスハッチで示している部分ｃが、下部シール２１及び側部シール２２，２３と接触するシール面３１，３２とされている。
このように、塵芥収容箱２の後端部の内周面１７の少なくとも一部が、シール部材１５と接触するシール面３３とされているため、このシール面３３とされた部分については、別途シール部材１５と接触させるための部材が不要となる。したがって、部品点数の低減及び構造の簡素化が図れ、製造コストの低減が可能となる。
【００２１】
以上の実施の形態によれば、塵芥収容箱２と塵芥投入箱３との間において、塵芥投入箱３の開口部３ｄを囲む全周にわたってシール部材１５が介在しているため、このシール部材１５によって、開口部３ｄを囲む全周にわたって、内部に投入・収容された塵芥から生じた汚水が漏れるのを防止することができ、これにより、塵芥収容箱２と塵芥投入箱３との間から外部へ汚水が漏れるのを防止することができる。すなわち、シール部材１５は、下部シール２１と両側部シール２２，２３と上部シール２４とによって環状とされているため、下部シール２１の上に溜まった汚水が毛細管現象によって下部シール２１及び側部シール２２，２３をつたって上昇したとしても、汚水が外部へ漏れるのを防止できる。また、塵芥収容箱と塵芥投入箱との間から塵芥による臭気が漏れるのも防止できる。
【００２２】
さらに、本発明について塵芥収集車の積込装置をプレス式（図１）として説明したが、本発明の塵芥収集車は、図示しないが回転板と押込板とを有する回転板式の積込装置を備えたものであってもよい。
また、前記実施の形態では環状のシール部材１５を上下２つの部材によって構成したが、他の実施の形態として、単一の部材によってシール部材１５を構成し、これにより全周を囲むように構成してもよい。また、前記シール部材１５を塵芥投入箱３側に取り付けたものとして説明したが、別の実施の形態として、図示しないが、シール部材１５を塵芥収容箱２側に取り付けたものとすることができる。
【図面の簡単な説明】
【００２３】
【図１】本発明の塵芥収集車の一実施の形態を示す側面図である。
【図２】塵芥投入箱の斜視図である。
【図３】塵芥投入箱の正面図である。
【図４】塵芥投入箱の側面図である。
【図５】下部シール及びその周辺部の断面図である。
【図６】側部シール及びその周辺部の断面図である。
【図７】上部シール及びその周辺部の断面図である。
【図８】上部シール部材及びその取付部分の半分を上方から見た図である。
【図９】上部シール部材及びその取付部分の半分を示す正面図である。
【図１０】シール部材の上側部分を示す側面図である。
【図１１】塵芥収容箱を後方から見た正面図である。
【符号の説明】
【００２４】
１    塵芥収集車
２    塵芥収容箱
３    塵芥投入箱
３ａ  開口部
１５  シール部材
１６  遮蔽板
１７  内周面
５０  積込装置
【図１】
0004644579.tif 000002
【図２】
0004644579.tif 000003
【図３】
0004644579.tif 000004
【図４】
0004644579.tif 000005
【図５】
0004644579.tif 000006
【図６】
0004644579.tif 000007
【図７】
0004644579.tif 000008
【図８】
0004644579.tif 000009
【図９】
0004644579.tif 000010
【図１０】
0004644579.tif 000011
【図１１】
0004644579.tif 000012